(57)【特許請求の範囲】
【請求項１】
データを記録再生可能なデータ記録再生装置であって、
ユーザの生体情報を取得する取得手段と、
データを入力するデータ入力手段と、
前記データ入力手段により入力されたデータを記憶する記憶手段と、
前記記憶手段に記憶されているデータを再生する再生手段と、
前記取得手段によってユーザの生体情報が取得されると、取得された生体情報に対応付けられて前記記憶手段にデータが記憶されているか否かを判別する判別手段と、
前記判別手段により、前記取得手段によって取得された生体情報に対応付けられたデータが前記記憶手段に記憶されていないと判別された場合に、前記データ入力手段により入力されるデータを記録するとともに、記録されたデータに前記取得手段によって取得された生体情報を対応付けて前記記憶手段に記憶する記録制御手段と、
前記判別手段により、前記取得手段によって取得された生体情報に対応付けられたデータが前記記憶手段に記憶されていると判別された場合に、前記記憶手段に記憶されている当該データを前記再生手段によって再生する再生制御手段と
を具備することを特徴とするデータ記録再生装置。
【請求項２】
前記取得手段は、ユーザの複数の生体情報を取得し、
前記判別手段は、前記取得手段によってユーザの複数の生体情報が取得されると、取得された複数の生体情報に対応付けられて前記記憶手段にデータが記憶されているか否かを判別し、
前記記録制御手段は、前記判別手段により、前記取得手段によって取得された生体情報に対応付けられたデータが前記記憶手段に記憶されていないと判別された場合に、前記データ入力手段により入力されるデータを記録するとともに、記録されたデータに前記取得手段によって取得された複数の生体情報を対応付けて前記記憶手段に記憶し、
前記再生制御手段は、前記判別手段により、前記取得手段によって取得された生体情報に対応付けられたデータが前記記憶手段に記憶に記憶されていると判別された場合に、前記記憶手段に記憶されている当該データを前記再生手段によって再生することを特徴とする請求項１記載のデータ記録再生装置。
【請求項３】
ユーザの生体情報を取得する際の状況を表す状況情報を検出する検出手段をさらに有し、
前記判別手段は、前記取得手段によって取得された生体情報に対応付けられて前記記憶手段にデータが記憶されている場合に、当該データが、前記検出手段によって検出された状況情報に対応付けられて記憶されているか否かをさらに判別し、
前記記録制御手段は、前記判別手段により、前記検出手段によって検出された状況情報に対応付けられてデータが記憶されていないと判別された場合に、前記データ入力手段により入力されるデータを記録するとともに、記録されたデータに、前記検出手段によって検出された状況情報と前記取得手段によって取得された生体情報とを対応付けて前記記憶手段に記憶し、
前記再生制御手段は、前記判別手段により、前記検出手段によって検出された状況情報に対応付けられてデータが記憶されていると判別された場合に、前記記憶手段に記憶されている当該データを前記再生手段によって再生することを特徴とする請求項１記載のデータ記録再生装置。
【請求項４】
前記状況情報は、所定時間内に生体情報が取得された回数であることを特徴とする請求項３記載のデータ記録再生装置。
【請求項５】
前記状況情報は、生体情報を取得する際に、ユーザが装置に生体情報を取得させていた所要時間であることを特徴とする請求項４記載のデータ記録再生装置。
【請求項６】
前記記憶制御手段は、前記データ入力手段により入力されるデータに関する付属情報を、当該データと当該データに対応する生体情報とに対応付けて前記記憶手段にさらに記憶し、
前記判別手段は、前記取得手段によって取得された生体情報に対応付けられたデータが前記記憶手段に記憶されてる場合に、前記記憶手段に記憶されている当該データに対応付けられて記憶されている付属情報に基づいて、当該データが所定の削除条件を満たしているか否かをさらに判別し、
前記判別手段により、所定の削除条件を満たしていると判別された場合に、当該データを削除する削除制御手段を具備することを特徴とする請求項１記載のデータ記録再生装置。
【請求項７】
前記付属情報は、当該データを記録した時刻に関する時刻情報であり、
前記削除条件は、当該データを記録した時刻が現在時刻より所定時間以上過去であることを特徴とする請求項６記載のデータ記録再生装置。
【請求項８】
前記付属情報は、当該データを最後に再生した時刻に関する時刻情報であり、
前記削除条件は、当該データを最後に再生した時刻が現在時刻より所定時間以上過去であることを特徴とする請求項６記載のデータ記録再生装置。
【請求項９】
前記付属情報は、当該データの再生回数をさらに含み、
前記削除条件は、当該データの再生回数が所定回数以下であることをさらに含むことを特徴とする請求項７または８のいずれかに記載のデータ記録再生装置。
【請求項１０】
前記生体情報は、ユーザのそれぞれの指の指紋情報であることを特徴とする請求項１ないし９のいずれかに記載のデータ記録再生装置。
【請求項１１】
記録媒体にデータを記憶するとともに、前記記録媒体に記憶されたデータを再生可能なデータ記録再生装置のコンピュータに、
ユーザの生体情報を取得する取得機能、
データを入力するデータ入力機能、
前記記録媒体に記憶されているデータを再生する再生機能、
前記取得機能によってユーザの生体情報が取得されると、取得された生体情報に対応付けられて前記記録媒体にデータが記憶されているか否かを判別する判別機能、
前記取得された生体情報に対応付けられたデータが前記記録媒体に記憶されていないと判別された場合に、前記データ入力機能により入力されるデータを記録するとともに、記録されたデータに前記取得機能によって取得された生体情報を対応付けて前記記録媒体に記憶する記録制御機能、
前記取得機能によって取得された生体情報に対応付けられたデータが前記記録媒体に記憶されていると判別された場合に、前記記録手段に記憶に記憶されている当該データを前記再生機能によって再生する再生制御機能
を実現させることを特徴とするデータ記録再生プログラム。
【発明の詳細な説明】
【技術分野】
【０００１】
本発明は、データ記録再生装置およびデータ記録再生プログラムに関する。
【背景技術】
【０００２】
従来、データの記録再生装置においては、データを記録する際には、記録ボタンなどのボタン操作を行い、データを再生する際には、再生を所望するデータを選択するボタン操作と、選択したデータの再生開始を指示する再生ボタンなどのボタン操作とを行うようになっている。
【０００３】
また、データ記録再生装置を第三者に不正使用されないために、指紋などの生体情報を用いる技術が知られている（例えば、特許文献１参照）。該従来技術では、記録時には、生体情報を記録信号に多重させて記録し、再生時には、現時点で検出した再生情報と記録した再生情報とが一致した場合には、記録信号を外部出力し、一致しなかった場合には、記録信号の外部出力を禁止するようになっている。
【０００４】
【特許文献１】特開平１０−２１４４５３号公報
【発明の開示】
【発明が解決しようとする課題】
【０００５】
しかしながら、上記従来技術では、データを記録する際には、記録ボタンなどのボタン操作が必要であり、データを再生する際には、再生を所望するデータを選択するボタン操作と、選択したデータの再生開始を指示する再生ボタンなどのボタン操作とが必要であり、操作が煩雑になるという問題がある。
【０００６】
また、生体情報を利用可能な装置においては、データ記録時、データ再生時には、上述した記録操作や、データ選択操作、データ再生開始操作に加えて、さらに、生体情報の認証操作が必要になり、操作が煩雑になるという問題がある。
【０００７】
そこで本発明は、簡便な操作でデータの記録、再生を行うことができるとともに、第三者による不正使用を防止することができるデータ記録再生装置およびデータ記録再生プログラムを提供することを目的とする。
【課題を解決するための手段】
【０００８】
上記目的達成のため、請求項１、１１記載の発明は、データを記録再生可能なデータ記録再生装置であって、ユーザの生体情報を取得する取得手段と、データを入力するデータ入力手段と、前記データ入力手段により入力されたデータを記憶する記憶手段と、前記記憶手段に記憶されているデータを再生する再生手段と、前記取得手段によってユーザの生体情報が取得されると、取得された生体情報に対応付けられて前記記憶手段にデータが記憶されているか否かを判別する判別手段と、前記判別手段により、前記取得手段によって取得された生体情報に対応付けられたデータが前記記憶手段に記憶されていないと判別された場合に、前記データ入力手段により入力されるデータを記録するとともに、記録されたデータに前記取得手段によって取得された生体情報を対応付けて前記記憶手段に記憶する記録制御手段と、前記判別手段により、前記取得手段によって取得された生体情報に対応付けられたデータが前記記憶手段に記憶されていると判別された場合に、前記記憶手段に記憶されている当該データを前記再生手段によって再生する再生制御手段とを具備することを特徴とする。
【０００９】
また、好ましい態様として、例えば請求項２記載のように、請求項１記載のデータ記録再生装置において、前記取得手段は、ユーザの複数の生体情報を取得し、前記判別手段は、前記取得手段によってユーザの複数の生体情報が取得されると、取得された複数の生体情報に対応付けられて前記記憶手段にデータが記憶されているか否かを判別し、前記記録制御手段は、前記判別手段により、前記取得手段によって取得された生体情報に対応付けられたデータが前記記憶手段に記憶されていないと判別された場合に、前記データ入力手段により入力されるデータを記録するとともに、記録されたデータに前記取得手段によって取得された複数の生体情報を対応付けて前記記憶手段に記憶し、前記再生制御手段は、前記判別手段により、前記取得手段によって取得された生体情報に対応付けられたデータが前記記憶手段に記憶に記憶されていると判別された場合に、前記記憶手段に記憶されている当該データを前記再生手段によって再生するようにしてもよい。
【００１０】
また、好ましい態様として、例えば請求項３記載のように、請求項１記載のデータ記録再生装置において、ユーザの生体情報を取得する際の状況を表す状況情報を検出する検出手段をさらに有し、前記判別手段は、前記取得手段によって取得された生体情報に対応付けられて前記記憶手段にデータが記憶されている場合に、当該データが、前記検出手段によって検出された状況情報に対応付けられて記憶されているか否かをさらに判別し、前記記録制御手段は、前記判別手段により、前記検出手段によって検出された状況情報に対応付けられてデータが記憶されていないと判別された場合に、前記データ入力手段により入力されるデータを記録するとともに、記録されたデータに、前記検出手段によって検出された状況情報と前記取得手段によって取得された生体情報とを対応付けて前記記憶手段に記憶し、前記再生制御手段は、前記判別手段により、前記検出手段によって検出された状況情報に対応付けられてデータが記憶されていると判別された場合に、前記記憶手段に記憶されている当該データを前記再生手段によって再生するようにしてもよい。
【００１１】
また、好ましい態様として、例えば請求項４記載のように、請求項３記載のデータ記録再生装置において、前記状況情報は、所定時間内に生体情報が取得された回数であってもよい。
【００１２】
また、好ましい態様として、例えば請求項５記載のように、請求項４記載のデータ記録再生装置において、前記状況情報は、生体情報を取得する際に、ユーザが装置に生体情報を取得させていた所要時間であってもよい。
【００１３】
また、好ましい態様として、例えば請求項６記載のように、請求項１記載のデータ記録再生装置において、前記記憶制御手段は、前記データ入力手段により入力されるデータに関する付属情報を、当該データと当該データに対応する生体情報とに対応付けて前記記憶手段にさらに記憶し、前記判別手段は、前記取得手段によって取得された生体情報に対応付けられたデータが前記記憶手段に記憶されてる場合に、前記記憶手段に記憶されている当該データに対応付けられて記憶されている付属情報に基づいて、当該データが所定の削除条件を満たしているか否かをさらに判別し、前記判別手段により、所定の削除条件を満たしていると判別された場合に、当該データを削除する削除制御手段を具備するようにしてもよい。
【００１４】
また、好ましい態様として、例えば請求項７記載のように、請求項６記載のデータ記録再生装置において、前記付属情報は、当該データを記録した時刻に関する時刻情報であり、前記削除条件は、当該データを記録した時刻が現在時刻より所定時間以上過去であってもよい。
【００１５】
また、好ましい態様として、例えば請求項８記載のように、請求項６記載のデータ記録再生装置において、前記付属情報は、当該データを最後に再生した時刻に関する時刻情報であり、前記削除条件は、当該データを最後に再生した時刻が現在時刻より所定時間以上過去であってもよい。
【００１６】
また、好ましい態様として、例えば請求項９記載のように、請求項７または８のいずれかに記載のデータ記録再生装置において、前記付属情報は、当該データの再生回数をさらに含み、前記削除条件は、当該データの再生回数が所定回数以下であることをさらに含むようにしてもよい。
【００１７】
また、好ましい態様として、例えば請求項１０記載のように、請求項１ないし９のいずれかに記載のデータ記録再生装置において、前記生体情報は、ユーザのそれぞれの指の指紋情報であってもよい。
【発明の効果】
【００１８】
この発明によれば、簡便な操作でデータの記録、再生を行うことができるとともに、第三者による不正使用を防止することができるという利点が得られる。
【発明を実施するための最良の形態】
【００１９】
以下、本発明の実施の形態を、図面を参照して説明する。
【００２０】
Ａ．第１実施形態
Ａ−１．第１実施形態の構成
図１は、本発明の第１実施形態によるデータ記録再生装置の構成を示すブロック図である。図において、音声信号処理部１は、マイク２からの音声を取り込み、デジタル信号に変換して中央制御部１０に供給する一方、音声信号をアナログ信号に変換してスピーカ３から出力する。操作部４は、各種データ、動作指示などを入力する。表示部５は、液晶表示器などからなり、データ記録時間、データ再生時間などの情報や、各種メッセージなどを表示する。特に、本実施形態では、図３に示すように、録音終了時に、そのまま録音した音声データを再生するか否かをユーザに促すためのメッセージを表示するようになっている。
【００２１】
ＲＴＣ６は、音声データを記録（録音）した際に、その日付、時刻を取得するための実時間を計時する。指紋取得部７は、音声データの録音時、音声データの再生時に、ユーザの指紋を読み取る。ＲＯＭ８は、所定のプログラムや各種パラメータなどを記憶する。ＲＡＭ９は、各種データを記憶する。特に、本実施形態では、データ記憶部９−１を備えており、図２に示すように、録音した音声データを識別するためのＩＤ、録音データ（音声データ）、録音時刻、最終再生時刻、再生回数、指紋データを記憶する。
【００２２】
中央制御部１０は、上述したＲＯＭ８に記憶されている、所定のプログラムに従って各部を制御する。特に、本実施形態では、中央制御部１０は、指紋取得部７により取得したユーザの指紋に従って、音声データの録音や再生、削除などを制御する。
【００２３】
Ａ−２．第１実施形態の動作
次に、上述した第１実施形態の動作について説明する。ここで、図４は、本第１実施形態によるデータ記録再生装置の動作を説明するためのフローチャートである。録音に先立って、まず、ユーザの指紋（左右合わせて十指のいずれかの指紋）を取得したか否かを判断する（ステップＳ１０）。そして、指紋取得部７によってユーザの指紋（左右合わせて十指のいずれかの指紋）を取得している場合には、取得した指紋と対応付けられている音声データが既にデータ記憶部９−１に保存されているか否かを判断する（ステップＳ１２）。
【００２４】
そして、取得した指紋と対応付けられている音声データがない場合には、録音を開始し（ステップＳ１４）、録音中に録音が終了したか否か、すなわち、録音終了の操作があったか否かを判断する（ステップＳ１６）。そして、録音が終了すると、録音データ、指紋データ、録音時刻などを、図２に示すように、ＲＡＭ９のデータ記憶部９−１に記憶する（ステップＳ１８）。次に、図３に示すように、再生確認のメッセージを表示部５に表示し（ステップＳ２０）、終了操作が行われたか否かを判断し（ステップＳ２２）、終了操作が行われた場合には、当該処理を終了する。
【００２５】
一方、終了操作が行われない場合には、上記再生確認のメッセージに従って、指紋取得部７によってユーザの指紋を取得したか否かを判断し（ステップＳ２４）、指紋を取得している場合には、録音開始時にステップＳ１０で取得した指紋と、録音終了後のステップＳ２４で取得した指紋とが一致するか否かを判断する（ステップＳ２６）。すなわち、ユーザは、録音終了後に直ちに録音データを再生する場合には、録音開始時と同じ指の指紋を入力すればよい。そして、双方の指紋が一致しない場合には、当該処理を終了する。
【００２６】
一方、双方の指紋が一致した場合には、録音データの再生を開始し（ステップＳ３２）、再生中には、再生が終了したか否か、すなわち、録音データの再生が完了したか、あるいはユーザにより再生が中止されたか否かを判断し（ステップＳ３４）、再生が終了した場合には、当該録音データに対する、図２に示す再生回数を更新し（ステップＳ３６）、さらに、ＲＴＣ６から取得した現在時刻に従って、最終再生時刻を更新し（ステップＳ３８）、当該処理を終了する。
【００２７】
また、ステップＳ１２において、指紋と対応付けられている音声データがデータ記憶部９−１に既に保存されている場合には、ＲＴＣ６から現在時刻を取得し（ステップＳ２８）、該当録音データの録音時刻が３０日以内であるか否かを判断する（ステップＳ３０）。そして、録音データの録音時刻が３０日以内である（最近録音された）場合には、上述したステップＳ３２以降へ進み、録音データの再生を開始し、再生が終了した場合には、再生回数を更新するとともに、ＲＴＣ６から取得した現在時刻に従って最終再生時刻を更新して当該処理を終了する。
【００２８】
一方、録音時刻が３０日以内でない場合には、最終再生時刻が２０日以上前であるか否かを判断し（ステップＳ４０）、録音時刻が３０日を越えていても、最終再生時刻が２０日以上前でない（最近再生された）場合には、上述したステップＳ３２以降へ進み、録音データの再生を開始し、再生が終了した場合には、再生回数を更新するとともに、ＲＴＣ６から取得した現在時刻に従って最終再生時刻を更新して当該処理を終了する。
【００２９】
また、最終再生時刻が２０日以上前である（最近再生されていない）場合には、再生回数が２回以下であるか否か（頻繁に再生されていないか否か）を判断し（ステップＳ４２）、録音時刻が３０日を越え、かつ、最終再生時刻が２０日以上前であっても、再生回数が２回より多い場合には、上述したステップＳ３２以降へ進み、録音データの再生を開始し、再生が終了した場合には、ＲＴＣ６から取得した現在時刻に従って再生回数を更新するとともに、最終再生時刻を更新して当該処理を終了する。
【００３０】
一方、録音時刻が３０日を越え、かつ、最終再生時刻が２０日以上前で、さらに、再生回数が２回以下である場合には、かなり以前に録音され、かつ最近、頻繁に再生もされていないと判断し、削除を確認するためのメッセージを表示部５に表示し（ステップＳ４４）、ユーザによる削除操作があったか否かを判断する（ステップＳ４６）。そして、ユーザによる削除操作がない場合には、該当録音データを削除することなく、当該処理を終了する。一方、ユーザによる削除操作があった場合には、当該録音データを削除し（ステップＳ４８）、当該処理を終了する。
【００３１】
上述した第１実施形態では、ユーザが音声データを記録したいときには、記録する際にまだ使用していない自らの指紋を装置に認識させて、音声データを記録し、ユーザが音声データを再生したいときには、その音声データを記録した際に装置に認識させた指紋を再び装置に認識させて音声データを再生するようにしたので、自らの指紋を装置に認識させるだけで、容易に音声データを記録したり、再生したりすることができる。
【００３２】
例えば、最初の音声データを記録するときには右手親指、２回目の記録では右手人差し指などと決めて、その指の指紋と対応させて音声データを記録しておき、再生するときには、１番目の音声データを再生したければ右手親指、２番目の音声データを再生したければ右手人差し指の指紋を認識させることで容易に再生することができる。
【００３３】
また、個人を識別可能な生体情報として指紋を利用しているので第三者に再生されることはない。
【００３４】
また、記録されてから所定期間経過し、かつ、最後に再生されてから所定期間経過し、かつ、再生回数が所定回数以下である音声データを容易な操作で削除することができ、その音声データに対応付けられていた指紋を別の音声データを記録する際に使用することができるようになる。
【００３５】
Ｂ．第２実施形態
次に、本発明の第２実施形態について説明する。なお、データ記録再生装置の構成は、図１と同様であるので、説明を省略する。本第２実施形態では、図５に示すように、第１の指紋と第２の指紋というように、２つの指紋の組み合わせを録音データに対応付けることで、音声データの録音、再生を制御することを特徴としている。組み合わせる指紋は、同じ指のものであってもよいし、異なる指のものであってもよい。
【００３６】
Ｂ−１．第２実施形態の動作
次に、本第２実施形態の動作について説明する。図６は、本第２実施形態によるデータ記録再生装置の動作を説明するためのフローチャートである。録音に先立って、まず、ユーザの第１の指紋を取得したか否かを判断する（ステップＳ６０）。そして、指紋取得部７によってユーザの第１の指紋（左右合わせて十指のいずれかの指紋）を取得した場合には、次に、ユーザの第２の指紋を取得したか否かを判断する（ステップＳ６２）。そして、指紋取得部７によってユーザの第２の指紋（左右合わせて十指のいずれかの指紋）を取得した場合には、第１の指紋と第２の指紋との組み合わせに対応付けられている音声データが既にデータ記憶部９−１に保存されているか否かを判断する（ステップＳ６４）。
【００３７】
そして、取得した第１の指紋および第２の指紋に対応付けられている音声データがない場合には、録音を開始し（ステップＳ６６）、録音中に録音が終了したか否か、すなわち、録音終了の操作があったか否かを判断する（ステップＳ６８）。そして、録音が終了すると、録音データ、第１の指紋データ、第２の指紋データ、録音時刻などを、図５に示すように、ＲＡＭ９のデータ記憶部９−１に記憶し（ステップＳ７０）、当該処理を終了する。
【００３８】
一方、取得した第１の指紋および第２の指紋に対応付けられている音声データが既にデータ記憶部９−１に保存されている場合には、該録音データの再生を開始し（ステップＳ７２）、再生中には、再生が終了したか否か、すなわち、録音データの再生が完了したか、あるいはユーザにより再生が中止されたか否かを判断し（ステップＳ７４）、再生が終了した場合には、当該録音データに対する、図５に示す再生回数を更新し（ステップＳ７６）、さらに、ＲＴＣ６から取得した現在時刻に従って、最終再生時刻を更新し（ステップＳ７８）、当該処理を終了する。
【００３９】
上述した第２実施形態では、１つの音声データに複数の指紋を対応付けることにより、１つの音声データに１つの指紋しか対応付けられない場合に最大１０件の音声データしか記録・再生することができないのに対して、容易な操作で、多くの件数の音声データを記録・再生することが可能になる。例えば、右手の親指と人差し指の指紋はこの音声データ、右手の親指と中指の指紋は別の音声データというように、１０件以上の音声データを容易な操作で記録・再生することが可能になる。
【００４０】
Ｂ−２．第１変形例
次に、上述した第２実施形態の第１変形例について説明する。本第１変形例では、所定の時間内における指紋の取得回数に従って、音声データの録音、再生を管理、制御する。そこで、本第１変形例では、図７に示すように、録音データ（音声データ）と指紋の取得回数とを対応付ける。
【００４１】
次に、本第２実施形態の第１変形例の動作について説明する。図８は、本第２実施形態の第１変形例の動作するためのフローチャートである。録音に先立って、まず、ユーザの指紋（左右合わせて十指のいずれかの指紋）を取得したか否かを判断する（ステップＳ９０）。そして、指紋取得部７によってユーザの指紋（左右合わせて十指のいずれかの指紋）を取得した場合には、取得回数を「１」とし（ステップＳ９２）、取得タイマによる計時を開始する（ステップＳ９４）。
【００４２】
次に、再度、ユーザの指紋を取得したか否かを判断する（ステップＳ９６）。そして、ユーザの指紋が取得されない場合には、取得タイマがタイムアウトしたか否かを判断し（ステップＳ１００）、タイムアウトしていない場合には、ステップＳ９６に戻り、指紋の取得を繰り返す。一方、取得タイマがタイムアウトするまでに、指紋が取得された場合には、その都度、取得回数を「１」だけインクリメントする（ステップＳ９８）。
【００４３】
そして、取得タイマがタイムアウトすると、取得タイマによる計時を終了する（ステップＳ１０２）。上述したステップＳ９０〜Ｓ１０２の一連の処理（指紋取得処理）によって、取得タイマがタイムアウトするまでに、ユーザの指紋が複数回取得されることになる。
【００４４】
次に、取得した指紋に対応付けられている音声データが既にデータ記憶部９−１に保存されているか否かを判断する（ステップＳ１０４）。そして、取得した指紋に対応付けられている音声データがない場合には、録音を開始し（ステップＳ１０６）、録音中に録音が終了したか否か、すなわち、録音終了の操作があったか否かを判断する（ステップＳ１０８）。そして、録音が終了すると、録音データ、指紋データ、録音時刻、取得回数などを、図７に示すように、ＲＡＭ９のデータ記憶部９−１に記憶し（ステップＳ１１０）、当該処理を終了する。
【００４５】
一方、取得した指紋に対応付けられている音声データが既にデータ記憶部９−１に保存されている場合には、取得回数も一致する音声データがあるか否かを判断する（ステップＳ１１２）。そして、取得回数が一致しない場合には、上述したステップＳ１０６以降へ進み、録音を開始し、録音が終了すると、録音データ、指紋データ、録音時刻、取得回数などを、ＲＡＭ９のデータ記憶部９−１に記憶して当該処理を終了する。
【００４６】
一方、取得した指紋に対応付けられている音声データがあり、かつ、取得回数も一致した場合には、該録音データの再生を開始し（ステップＳ１１４）、再生中に、再生が終了したか否か、すなわち、録音データの再生が完了したか、あるいはユーザにより再生が中止されたか否かを判断し（ステップＳ１１６）、再生が終了した場合には、当該録音データに対する、図７に示す再生回数を更新し（ステップＳ１１８）、さらに、ＲＴＣ６から取得した現在時刻に従って、最終再生時刻を更新し（ステップＳ１２０）、当該処理を終了する。
【００４７】
上述した第１変形例では、右手親指の指紋を２回ではこの音声データ、３回では別の音声データというように、１０件以上の音声データを容易な操作で記録・再生することができるようになる。また、指紋に代えて、生体情報として声紋を使用する場合、「あ、あ」と２回発声したときにはこの音声データ、「あ、あ、あ」と３回発声したときには別の音声データというように区別することで、より多くの件数の音声データを記録・再生することが可能になる。
【００４８】
Ｂ−３．第２変形例
次に、上述した第２実施形態の第２変形例について説明する。本第２変形例では、指紋の取得時間（指紋取得部への押下時間）によって、音声データの録音、再生を制御する。そこで、本第２変形例では、図９に示すように、録音データ（音声データ）と指紋の取得時間とを対応付ける。
【００４９】
次に、本第２実施形態の第２変形例の動作について説明する。図１０は、本第２実施形態の第２変形例の動作するためのフローチャートである。録音に先立って、まず、ユーザの指紋（左右合わせて十指のいずれかの指紋）を取得したか否かを判断する（ステップＳ１４０）。そして、指紋取得部７によってユーザの指紋（左右合わせて十指のいずれかの指紋）を取得した場合には、取得タイマによる計時を開始する（ステップＳ１４２）。
【００５０】
次に、指紋の取得が終了したか否か、すなわち、ユーザが指紋を入力するための指を離したか否かを判断し（ステップＳ１４４）、ユーザが指を離すまで、取得タイマによる計時を継続する。そして、ユーザが指を離し、指紋の取得が終了すると、その時点の取得タイマによる計時時間、すなわち指紋の取得時間を、図９に示すように、ＲＡＭ９のデータ記憶部９−１に記憶し（ステップＳ１４６）、取得タイマによる計時を終了する（ステップＳ１４８）。
【００５１】
次に、取得した指紋に対応付けられている音声データが既にデータ記憶部９−１に保存されているか否かを判断する（ステップＳ１５０）。そして、取得した指紋に対応付けられている音声データがない場合には、録音を開始し（ステップＳ１５２）、録音中に録音が終了したか否か、すなわち、録音終了の操作があったか否かを判断する（ステップＳ１５４）。そして、録音が終了すると、録音データ、指紋データ、録音時刻、取得時間などを、図９に示すように、ＲＡＭ９のデータ記憶部９−１に記憶し（ステップＳ１１０）、当該処理を終了する。
【００５２】
一方、取得した指紋に対応付けられている音声データが既にデータ記憶部９−１に保存されている場合には、取得時間も一致する音声データがあるか否かを判断する（ステップＳ１５８）。そして、取得時間が一致しない場合には、上述したステップＳ１５２以降へ進み、録音を開始し、録音が終了すると、録音データ、指紋データ、録音時刻、取得時間などを、ＲＡＭ９のデータ記憶部９−１に記憶して当該処理を終了する。
【００５３】
一方、取得した指紋に対応付けられている音声データがあり、かつ、取得時間も一致した場合には、該録音データの再生を開始し（ステップＳ１６０）、再生中に、再生が終了したか否か、すなわち、録音データの再生が完了したか、あるいはユーザにより再生が中止されたか否かを判断し（ステップＳ１６２）、再生が終了した場合には、当該録音データに対する、図９に示す再生回数を更新し（ステップＳ１６４）、さらに、ＲＴＣ６から取得した現在時刻に従って、最終再生時刻を更新し（ステップＳ１６６）、当該処理を終了する。
【００５４】
上述した第２変形例では、ユーザが指を装置に短い時間当てていたときには、この音声データ、長い時間当てていたときには別の音声データというように、指紋の取得時間（指紋取得部への押下時間）によって、音声データの録音、再生を制御することで、より多くの件数の音声データを記録・再生することが可能になる。
【００５５】
なお、上述した実施形態においては、生体情報として指紋を用いたが、これに限らず、掌紋や、音声（声紋）、虹彩、網膜などを用いてもよい。
また、上述した実施形態においては、データとして音声データについてのみ説明したが、これに限らず、静止画データや、動画データなどであってもよい。
【図面の簡単な説明】
【００５６】
【図１】本発明の第１実施形態によるデータ記録再生装置の構成を示すブロック図である。
【図２】本第１実施形態によるデータ記録再生装置のデータ記憶構成を示す概念図である。
【図３】本第１実施形態によるデータ記録再生装置の表示例を示す模式図である。
【図４】本第１実施形態によるデータ記録再生装置の動作を説明するためのフローチャートである。
【図５】本第２実施形態によるデータ記録再生装置のデータ記憶構成を示す概念図である。
【図６】本第２実施形態によるデータ記録再生装置の動作を説明するためのフローチャートである。
【図７】本第２実施形態の第１変形例におけるデータ記憶構成を示す概念図である。
【図８】本第２実施形態の第１変形例の動作するためのフローチャートである。
【図９】本第２実施形態の第２変形例におけるデータ記憶構成を示す概念図である。
【図１０】本第２実施形態の第２変形例の動作するためのフローチャートである。
【符号の説明】
【００５７】
１  音声信号処理部
２  マイクロフォン
３  スピーカ
４  操作部
５  表示部
６  ＲＴＣ
７  指紋取得部
８  ＲＯＭ
９  ＲＡＭ
９−１  データ記憶部
１０  中央制御部
【図１】
0004569906.tif 000002
【図２】
0004569906.tif 000003
【図３】
0004569906.tif 000004
【図４】
0004569906.tif 000005
【図５】
0004569906.tif 000006
【図６】
0004569906.tif 000007
【図７】
0004569906.tif 000008
【図８】
0004569906.tif 000009
【図９】
0004569906.tif 000010
【図１０】
0004569906.tif 000011